【手続補正書】
【提出日】平成27年7月2日(2015.7.2)
【手続補正１】
【補正対象書類名】明細書
【補正対象項目名】０００６
【補正方法】変更
【補正の内容】
【０００６】
以上の課題を解決するために、本発明に係るＧＵＩシステムは、表示処理装置及び入力処理装置を備えたＧＵＩシステムにおいて、前記表示処理装置は、表示手段と、アイコンを含む画面を前記表示手段に表示させる第一処理手段と、ユーザーの視線方向を検出する視線方向検出手段と、を備え、前記入力処理装置は、前記第一処理手段と通信可能であり、前記入力処理装置への操作を特定する第二処理手段と、前記第二処理手段によって特定された操作を前記第一処理手段に送信する操作送信手段と、を備え、前記第一処理手段は、前記視線方向検出手段によって特定された位置と、前記操作送信手段によって送信された前記操作に基づいて当該表示処理装置の制御を行うことを特徴とする。
【手続補正２】
【補正対象書類名】明細書
【補正対象項目名】０００７
【補正方法】変更
【補正の内容】
【０００７】
本発明に係る表示処理装置は、表示手段と、アイコンを含む画面を前記表示手段に表示させる処理手段と、ユーザーの視線方向を検出することによって前記表示手段に表示される画面内の位置を特定する視線方向検出手段と、前記処理手段と無線通信可能な入力処理装置から操作を受信する受信手段と、を備え、前記処理手段は、前記視線方向検出手段によって特定された位置と、前記受信手段によって受信した操作に基づいて当該表示処理装置の制御を行うことを特徴とする。
【手続補正３】
【補正対象書類名】明細書
【補正対象項目名】０００９
【補正方法】変更
【補正の内容】
【０００９】
本発明に係るプログラムは、表示手段と、アイコンを含む画面を前記表示手段に表示させるコンピューターと、ユーザーの視線方向を検出することによって前記表示手段に表示される画面内の位置を特定する視線方向検出手段と、を備える表示処理装置の前記コンピューターを、前記視線方向検出手段によって特定された位置が前記画面内の前記アイコンの位置か否かを判別する位置判別手段、前記位置判別手段によって否でない旨の判別が行われた場合に前記アイコンの選択を行う選択手段、前記コンピューターと無線通信可能な入力処理装置から操作を受信する受信手段、前記視線方向検出手段によって特定された位置と、前記受信手段によって受信した操作に基づいて当該コンピューターを制御する処理手段として機能させる。
【手続補正４】
【補正対象書類名】特許請求の範囲
【補正対象項目名】全文
【補正方法】変更
【補正の内容】
【特許請求の範囲】
【請求項１】
表示処理装置及び入力処理装置を備えたＧＵＩシステムにおいて、
前記表示処理装置は、
表示手段と、
アイコンを含む画面を前記表示手段に表示させる第一処理手段と、
ユーザーの視線方向を検出する視線方向検出手段と、
を備え、
前記入力処理装置は、
前記第一処理手段と通信可能であり、前記入力処理装置への操作を特定する第二処理手段と、
前記第二処理手段によって特定された操作を前記第一処理手段に送信する操作送信手段と、
を備え、
前記第一処理手段は、
前記視線方向検出手段によって特定された位置と、前記操作送信手段によって送信された前記操作に基づいて当該表示処理装置の制御を行うことを特徴とするＧＵＩシステム。
【請求項２】
前記第一処理手段は、
前記視線方向検出手段によって特定された位置が前記画面内の前記アイコンの位置である場合に前記アイコンの選択を行い、
前記操作送信手段によって送信される操作に基づいて、前記選択手段によって選択された前記アイコンの選択の決定を行う
ことを特徴とする請求項１記載のＧＵＩシステム。
【請求項３】
前記第一処理手段が、
前記視線方向検出手段によって特定された位置が前記アイコンの位置である場合に前記アイコンの表示態様を変更する表示態様変更手段
を有する
ことを特徴とする請求項２に記載のＧＵＩシステム。
【請求項４】
前記第一処理手段は、
前記操作送信手段によって送信された前記操作に基づいて、選択された前記アイコンを前記画面内で移動させることを特徴とする請求項２乃至３の何れかに記載のＧＵＩシステム。
【請求項５】
前記第一処理手段は、
前記視線方向検出手段によって特定された位置が前記画面内の中央領域の外側の領域である場合であって、且つ前記操作送信手段によって送信された前記操作を受信した場合に、前記視線方向検出手段によって特定された位置が前記画面内の前記中央領域から外れた方向へ前記画面をスクロールするスクロール手段と、
を更に有することを特徴とする請求項１乃至４の何れかに記載のＧＵＩシステム。
【請求項６】
前記第一処理手段は、
前記視線方向検出手段によって特定された位置が前記画面内の特定箇所である場合であって、且つ前記操作送信手段によって送信された前記操作を受信した場合に、前記特定箇所に対応付けられた情報を前記画面に表示することを特徴とする請求項１乃至５の何れかに記載のＧＵＩシステム。
【請求項７】
前記入力装置は、
タッチパネルを供え、
前記第二処理手段は、前記タッチパネルの出力信号に基づいて前記タッチパネルに対する操作を特定し、
前記操作送信手段は、前記第二処理手段によって特定された前記タッチパネルに対する操作を前記第一処理手段に送信することを特徴とする請求項１乃至６の何れかに記載のＧＵＩシステム。
【請求項８】
前記第二処理手段は、
前記タッチパネルに対して行われる前記表示処理装置への操作を特定する入力モードと、それ以外のモードとを切り替える切替手段を有し、
前記入力モード時に前記タッチパネルに対する操作が行われた場合に、前記タッチパネルの出力信号に基づいて前記タッチパネルに対する操作を特定することを特徴とする請求項７に記載のＧＵＩシステム。
【請求項９】
表示手段と、
アイコンを含む画面を前記表示手段に表示させる処理手段と、
ユーザーの視線方向を検出することによって前記表示手段に表示される画面内の位置を特定する視線方向検出手段と、
前記処理手段と無線通信可能な入力処理装置から操作を受信する受信手段と、
を備え、
前記処理手段は、
前記視線方向検出手段によって特定された位置と、前記受信手段によって受信した操作に基づいて当該表示処理装置の制御を行うことを特徴とする表示処理装置。
【請求項１０】
前記処理手段は、
前記視線方向検出手段によって特定された位置が前記画面内の前記アイコンの位置である場合に前記アイコンの選択を行い、
前記受信手段によって受信した操作に基づいて、前記選択された前記アイコンの選択の決定を行うことを特徴とする請求項９記載の表示処理装置。
【請求項１１】
前記処理手段は、
前記視線方向検出手段によって特定された位置が前記画面内の前記アイコンの位置である場合に前記アイコンの表示態様を変更することを特徴とする請求項１０に記載の表示処理装置。
【請求項１２】
前記処理手段は、
前記受信手段によって受信した操作に基づいて、前記選択された前記アイコンを前記画面内で移動させることを特徴とする請求項９乃至１１の何れかに記載の表示処理装置。
【請求項１３】
前記処理手段は、
前記視線方向検出手段によって特定された位置が前記画面内の中央領域の外側の領域である場合であって、且つ前記操作を受信した場合に、前記視線方向検出手段によって特定された位置が前記画面内の前記中央領域から外れた方向へ前記画面をスクロールすることを特徴とする請求項９乃至１２の何れかに記載の表示処理装置。
【請求項１４】
前記処理手段は、
前記視線方向検出手段によって特定された位置が前記画面内の特定箇所である場合であって、且つ前記操作を受信した場合に、前記特定箇所に対応付けられた情報を前記画面に表示することを特徴とする請求項９乃至１３の何れかに記載の表示処理装置。
【請求項１５】
タッチパネルと、
表示処理装置と無線通信によって接続する接続手段と、
前記タッチパネルの出力信号に基づいて前記タッチパネルに対する操作を特定する特定手段と、
前記特定手段によって特定された前記タッチパネルに対する操作を前記接続手段によって接続された表示処理装置に送信する操作送信手段と、
前記タッチパネルに対して行われる前記表示処理装置への操作を特定する入力モードと、それ以外のモードとを切り替える切替手段と、
を備え、
前記特定手段は、前記入力モード時に前記タッチパネルに対する操作が行われた場合に、前記タッチパネルの出力信号に基づいて前記タッチパネルに対する操作を特定することを特徴とする入力処理装置。
【請求項１６】
表示手段と、アイコンを含む画面を前記表示手段に表示させるコンピューターと、ユーザーの視線方向を検出することによって前記表示手段に表示される画面内の位置を特定する視線方向検出手段と、を備える表示処理装置の前記コンピューターを、
前記視線方向検出手段によって特定された位置が前記画面内の前記アイコンの位置か否かを判別する位置判別手段、
前記位置判別手段によって否でない旨の判別が行われた場合に前記アイコンの選択を行う選択手段、
前記コンピューターと無線通信可能な入力処理装置から操作を受信する受信手段、
前記視線方向検出手段によって特定された位置と、前記受信手段によって受信した操作に基づいて当該コンピューターを制御する処理手段
として機能させるプログラム。